(57)【要約】【課題】表示部内の光学系などに振動の影響を及ぼすことなく、眼疲労の回復および視力の維持が可能なヘッドマウントディスプレイ装置を提供すること。【解決手段】ユーザの頭部に係止する装着部と、画像を表示する表示部と、表示部の外装部のうち、ユーザの眼に対面する部分に設けられる振動部と、振動部を駆動する駆動部とを備える。【選択図】      図３
2004304270.tif 000002
【特許請求の範囲】
【請求項１】
ユーザの頭部に係止する装着部と、
画像を表示する表示部と、
前記表示部の外装部のうち、前記ユーザの眼に対面する部分に設けられる振動部と、
前記振動部を駆動する駆動部と
を備えることを特徴とするヘッドマウントディスプレイ装置。
【請求項２】
請求項１に記載のヘッドマウントディスプレイ装置において、
前記振動部は、超音波を発生する
ことを特徴とするヘッドマウントディスプレイ装置。
【請求項３】
請求項１または請求項２に記載のヘッドマウントディスプレイ装置において、
前記表示部の外装部のうち、前記ユーザの眼に対面する部分に接触センサを備え、
前記接触センサが前記ユーザとの接触を検知すると、前記駆動部は前記振動部を駆動する
ことを特徴とするヘッドマウントディスプレイ装置。
【請求項４】
請求項１から請求項３の何れか一項に記載のヘッドマウントディスプレイ装置において、
前記ユーザの眼の疲労を検出する眼疲労検出部を備え、
前記眼疲労検出部が眼疲労を検出すると、前記駆動部は前記振動部を駆動する
ことを特徴とするヘッドマウントディスプレイ装置。
【請求項５】
ユーザの頭部に係止する装着部と、
画像を表示する表示部と、
前記表示部の外装部のうち、前記ユーザの眼に対面する部分に噴出口が設けられ、前記ユーザの眼に対して気体を噴出する噴出部と
を備えることを特徴とするヘッドマウントディスプレイ装置。
【請求項６】
請求項５に記載のヘッドマウントディスプレイ装置において、
前記ユーザの眼の疲労を検出する眼疲労検出部を備え、
前記眼疲労検出部が眼疲労を検出すると、前記噴出部は前記ユーザの眼に対して気体を噴出する
ことを特徴とするヘッドマウントディスプレイ装置。
【発明の詳細な説明】
【０００１】
【発明の属する技術分野】
本発明は、ユーザの視野に画像を表示するヘッドマウントディスプレイ装置に関する。
【０００２】
【従来の技術】
従来よりユーザの頭部に装着可能なヘッドマウントディスプレイ装置が知られている。このようなヘッドマウントディスプレイ装置では、光学的に画像を拡大して眼に対して表示するため、ユーザが表示を長時間見続けることにより、眼疲労や視力の低下などが懸念される。そこで、表示部の光軸上に超音波発振器を備えた表示装置がある（例えば、特許文献１参照）。このような表示装置では、超音波発振器により発生される超音波を眼にあてることにより眼疲労の回復および視力の維持が図られている。
【０００３】
【特許文献１】
特開平５−２０３９０４号公報
【０００４】
【発明が解決しようとする課題】
しかし、前述した表示装置では、表示部の光軸上に超音波発振器が備えられるため、表示部内の光学系に振動が伝わり、表示される画像がぶれることがあった。また、同様の振動の影響により、表示部内の光学系のアライメントが徐々にずれてしまうおそれがあった。
【０００５】
本発明は、上記問題に鑑みてなされたものであり、表示部内の光学系などに振動の影響を及ぼすことなく、眼疲労の回復および視力の維持が可能なヘッドマウントディスプレイ装置を提供することを目的とする。
【０００６】
【課題を解決するための手段】
請求項１に記載のヘッドマウントディスプレイ装置は、ユーザの頭部に係止する装着部と、画像を表示する表示部と、前記表示部の外装部のうち、前記ユーザの眼に対面する部分に設けられる振動部と、前記振動部を駆動する駆動部とを備えることを特徴とする。
【０００７】
請求項２に記載のヘッドマウントディスプレイ装置は、請求項１に記載のヘッドマウントディスプレイ装置において、前記振動部は、超音波を発生することを特徴とする。
請求項３に記載のヘッドマウントディスプレイ装置は、請求項１または請求項２に記載のヘッドマウントディスプレイ装置において、前記表示部の外装部のうち、前記ユーザの眼に対面する部分に接触センサを備え、前記接触センサが前記ユーザとの接触を検知すると、前記駆動部は前記振動部を駆動することを特徴とする。
【０００８】
請求項４に記載のヘッドマウントディスプレイ装置は、請求項１から請求項３の何れか一項に記載のヘッドマウントディスプレイ装置において、前記ユーザの眼の疲労を検出する眼疲労検出部を備え、前記眼疲労検出部が眼疲労を検出すると、前記駆動部は前記振動部を駆動することを特徴とする。
請求項５に記載のヘッドマウントディスプレイ装置は、ユーザの頭部に係止する装着部と、画像を表示する表示部と、前記表示部の外装部のうち、前記ユーザの眼に対面する部分に噴出口が設けられ、前記ユーザの眼に対して気体を噴出する噴出部とを備えることを特徴とする。
【０００９】
請求項６に記載のヘッドマウントディスプレイ装置は、請求項５に記載のヘッドマウントディスプレイ装置において、前記ユーザの眼の疲労を検出する眼疲労検出部を備え、前記眼疲労検出部が眼疲労を検出すると、前記噴出部は前記ユーザの眼に対して気体を噴出することを特徴とする。
【００１０】
【発明の実施の形態】
《第１実施形態》
以下、図面を用いて本発明の第１実施形態について説明する。
図１は、本実施形態のヘッドマウントディスプレイ装置１の外観を示す図である。ヘッドマウントディスプレイ装置１は、図１に示すように、湾曲したバンド２、バンド２の両端に固定された右音声出力部３および左音声出力部４を備える。右音声出力部３および左音声出力部４は、バンド２の湾曲しようとする付勢力によってユーザの両耳に当接する。すなわち、バンド２、右音声出力部３、左音声出力部４は、ヘッドマウントディスプレイ装置１をユーザの頭部に係止するためのものである。また、ヘッドマウントディスプレイ装置１は、バンド２の左端から伸縮自在なアーム５を備え、アーム５の端に表示部６を備える。アーム５は、ユーザ操作または自動で伸縮自在であり、伸縮することにより表示部６の位置を調整可能である。また、アーム５は、不図示の関節構造を有し、ユーザの眼の近傍に表示部６を移動可能である。ユーザは、この関節構造により、表示部６の一部を眼の近傍に接触させることができる。
【００１１】
さらに、ヘッドマウントディスプレイ装置１は、表示部６の上部に、ユーザの眼疲労を検出する眼疲労検出部７を備える（詳細は後述する）。
また、表示部６は、図２Ａに示すように、表示デバイス８と接眼レンズ９とを備える。表示デバイス８からの光束は、接眼レンズ９で拡大され、ユーザの眼に到達する。このようにして、表示部６はユーザの視野に画像を表示する。さらに、表示部６は、振動部１０を備える（詳細は後述する）。振動部１０は、図２Ａに示すように、表示部６の外装部のうち、ユーザの眼に対面する部分に設けられる。図２Ｂは、表示部６を、ユーザの眼の方向から見た図である。図２Ｂに示すように、振動部１０は、表示部６の上辺全体を覆うように配置され、眼疲労検出部７は、表示部６の上部に配置される。
【００１２】
また、ヘッドマウントディスプレイ装置１は、図３の機能ブロック図に示すように、制御部１１、記憶部１２を備えるとともに、外部の再生装置などとのインタフェースを取る外部インタフェース部１３を備える。また、記憶部１２には、表示部６が表示する画像と右音声出力部３、左音声出力部４が出力する音声とが記憶されている。さらに、ヘッドマウントディスプレイ装置１は、ユーザ操作を受け付ける不図示の操作部を備える。
【００１３】
また、振動部１０は、振動を発生する振動体１４と振動体１４を駆動する振動体駆動部１５とを備える超音波発振器である（詳細は後述する）。なお、振動部１０と表示部６との接触面には、表示部６内の表示デバイス８や接眼レンズ９に振動が伝わらないように、振動吸収材が備えられる。
制御部１１の出力は、右音声出力部３、左音声出力部４、表示部６、振動部１０に供給される。また、眼疲労検出部７の出力は、制御部１１に供給され、記憶部１２および外部インタフェース部１３は、制御部１１と相互に接続される。
【００１４】
なお、バンド２、右音声出力部３、左音声出力部４は、請求項の「装着部」に対応し、アーム５、表示部６、制御部１１は請求項の「表示部」に対応する。また、振動体１４は、請求項の「振動部」に対応し、振動体駆動部１５、制御部１１は、請求項の「駆動部」に対応する。  なお、これら請求項に記載の各部はこの態様だけに限定されるものではない。
【００１５】
以上説明した構成のヘッドマウントディスプレイ装置１において、制御部１１は、ユーザ操作に応じて、表示部６に対する画像の表示および右音声出力部３、左音声出力部４に対する音声の再生を行う。なお、画像の表示および音声の再生の具体的な方法については、公知技術と同様であるため説明を省略する。以下では、本実施形態の特徴であるユーザの眼疲労回復のための動作について説明する。
【００１６】
制御部１１は、眼疲労検出部７を介して、ユーザの眼疲労を検出すると、振動部１０を制御して眼疲労回復のための動作を行う。
まず、ユーザの眼疲労の検出について説明する。
一般に人は眼が疲れてくると、瞬きにおけるまぶたの動きが遅くなる傾向がある。そこで眼疲労度検出部７は、眼を照明する光源と、その反射光を受光する受光センサとを備え（何れも不図示）、反射光量の変化量を調べる。制御部１１は、所定時間あたりの反射光量の変化量が所定の変化量（基準値）よりも小さい場合には、まぶたの動きが遅いので、眼疲労があるとする。
【００１７】
制御部１１は、前述した検出を所定の時間間隔で繰り返し、眼疲労を検出すると、以下の動作を行う。
すなわち、制御部１１は、振動部１０の振動体駆動部１５を制御して、振動体１４を駆動する。
ここで、振動体１４および振動体駆動部１５は、超音波発振器である。制御部１１の指示にしたがって振動体１４が駆動されると、振動体１４から超音波を発生する。なお、振動体１４は、発生した超音波がユーザの眼にあたるように構成されている。超音波がユーザの眼にあてられると、眼および周辺の筋肉が刺激を受け、眼疲労の回復が図られる。
【００１８】
制御部１１は、振動部１０を制御して超音波を発生させた後も、眼疲労検出部７を介して眼疲労の検出を継続し、眼疲労が検出されなくなった場合（眼疲労が回復した場合）、振動部１０を制御して超音波の発生を停止する。
以上説明したように、第１実施形態によれば、表示部６の外装部のうち、ユーザの眼に対面する部分に振動部１０が設けられる。そのため、ユーザの眼に超音波をあてることにより、表示部６内の光学系（表示デバイス８、接眼レンズ９）などに振動の影響を及ぼすことなく、眼疲労の回復および視力の維持が可能である。
【００１９】
また、第１実施形態によれば、振動部１０は超音波を発生する。そのため、ユーザの眼（顔）から離して使用しても効果がある。したがって、通常のヘッドマウントディスプレイ装置の使用法に近いので違和感が少なく、また、メガネを着用しているユーザでも使用可能である。また、眼から離して使用するため、表示された画像を見ている最中にも眼疲労の回復が可能である。
【００２０】
また、第１実施形態によれば、ユーザの眼の疲労を検出する眼疲労検出部７を備え、眼疲労検出部７により眼疲労が検出されると、振動部１０を駆動する。そのため、ユーザに眼疲労がある場合には、自動的に超音波を発生し、眼疲労の回復を図ることができる。したがって、ユーザが気づかないうちに疲労が蓄積するのを回避することができる。
【００２１】
特に、第１実施形態によれば、表示された画像を見ている最中でも眼疲労が検出されると振動部１０を駆動し、眼疲労が検出されなくなる（眼疲労が回復する）と振動部１０の駆動を停止する。そのため、省電力でありながら、確実に眼疲労の回復を図ることができる。
なお、第１実施形態では、振動部１０が表示部６の上辺全体を覆うように配置される例を示したが、表示部６の外装部のうち、ユーザの眼に対面する部分であればどこに配置されても良い。また、振動部１０は、どのような形状であっても良いし、複数個設けられても良い。
【００２２】
また、第１実施形態では、眼疲労検出部７が表示部６の上部に配置される例を示したが、ユーザの眼疲労を検出可能であれば、どこに配置されても良い。
また、第１実施形態では、まぶたの動きをもとに眼疲労を検出する例を示したが、他の方法で眼疲労を検出するようにしても良い。例えば、涙液量や涙液層で発生する干渉像からわかる眼の乾き具合をもとに検出するようにしても良いし、眼の充血具合や観察時間をもとに検出するようにしても良い。
【００２３】
《第２実施形態》
以下、図面を用いて本発明の第２実施形態について説明する。
第２実施形態のヘッドマウントディスプレイ装置２０の外観は、第１実施形態のヘッドマウントディスプレイ装置１から、眼疲労検出部７が省略されたものである。そのため、図示および説明を省略し、以下では、第１実施形態のヘッドマウントディスプレイ装置１と同じ符号を用いて説明を行う。
【００２４】
ヘッドマウントディスプレイ装置２０は、図４の機能ブロック図に示すように、第１実施形態のヘッドマウントディスプレイ装置１の眼疲労検出部７が省略され、振動部１０に換えて振動部２１を備え、新たに、接触センサ２２を備える。
振動部２１は、振動を発生する振動体２３と振動体２３を駆動する振動体駆動部２４とを備える音波発振器である（詳細は後述する）。なお、振動部２１と表示部６との接触面には、表示部６内の表示デバイス８や接眼レンズ９に振動が伝わらないように、振動吸収材が備えられる。
【００２５】
また、表示部６は、図５Ａに示すように、第１実施形態と同様に、表示デバイス８と接眼レンズ９とを備える。表示デバイス８からの光束は、接眼レンズ９で拡大され、ユーザの眼に到達する。このようにして、表示部６はユーザの視野に画像を表示する。
また、振動部２１および接触センサ２２は、図５Ａに示すように、表示部６の外装部のうち、ユーザの眼に対面する部分に設けられる。図５Ｂは、表示部６を、ユーザの眼の方向から見た図である。図５Ｂに示すように、振動部２１は、表示部６の上辺の一部に配置され、接触センサ２２は、表示部６の下辺全体を覆うように配置される。
【００２６】
図４において、制御部１１の出力は、右音声出力部３、左音声出力部４、表示部６、振動部２１に供給される。また、接触センサ２２の出力は、制御部１１に供給され、記憶部１２および外部インタフェース部１３は、制御部１１と相互に接続される。
なお、バンド２、右音声出力部３、左音声出力部４は、請求項の「装着部」に対応し、アーム５、表示部６、制御部１１は請求項の「表示部」に対応する。また、振動体２３は、請求項の「振動部」に対応し、振動体駆動部２４、制御部１１は、請求項の「駆動部」に対応する。また、接触センサ２２は、請求項の「接触センサ」に対応する。なお、これら請求項に記載の各部はこの態様だけに限定されるものではない。
【００２７】
以上説明した構成のヘッドマウントディスプレイ装置２０において、制御部１１は、ユーザ操作に応じて、表示部６に対する画像の表示および右音声出力部３、左音声出力部４に対する音声の再生を行う。なお、画像の表示および音声の再生の具体的な方法については、公知技術と同様であるため、第１実施形態と同様に説明を省略する。以下では、本実施形態の特徴であるユーザの眼疲労回復のための動作について説明する。
【００２８】
本実施形態のヘッドマウントディスプレイ装置２０では、眼疲労回復のための動作は、ユーザが、表示部６を顔に近づけて接触センサ２２に接触する、または、顔に表示部６を近づけて接触センサ２２に接触することにより開始される。
すなわち、制御部１１は、接触センサ２２によりユーザとの接触を検出すると、振動部２１を制御して眼疲労回復のための動作を行う。
【００２９】
まず、接触センサ２２について説明する。接触センサ２２は、図５Ａに示したように、表示部６の下辺全体を覆うように配置される。そして、ユーザの顔が接触センサ２２の表面に接触すると、接触センサ２２は制御部１１に通知を行う。
制御部１１は、接触センサ２２によりユーザとの接触を検出すると、以下の動作を行う。
【００３０】
すなわち、制御部１１は、振動部２１の振動体駆動部２４を制御して、振動体２３を駆動する。
ここで、振動体２３および振動体駆動部２４は、音波発振器である。制御部１１の指示にしたがって振動体２３が駆動されると、振動体２３から音波を発生する。なお、振動体２３は、発生した音波が接触したユーザの眼および眼の周辺にあたるように構成されている。音波がユーザの眼および眼の周辺にあてられると、眼および周辺の筋肉が刺激を受け、眼疲労の回復が図られる。
【００３１】
制御部１１は、振動部２１を制御して音波を発生した後も、接触センサ２２による検出を継続し、接触が検出されなくなった場合（ユーザが接触センサ２２から顔を離した場合）、振動部２１を制御して音波の発生を停止する。
以上説明したように、第２実施形態によれば、表示部６の外装部のうち、ユーザの眼に対面する部分に振動部２１が設けられる。そのため、ユーザの眼に超音波をあてることにより、表示部６内の光学系（表示デバイス８、接眼レンズ９）などに振動の影響を及ぼすことなく、眼疲労の回復および視力の維持が可能である。
【００３２】
また、第２実施形態によれば、表示部６の外装部のうち、ユーザの眼に対面する部分に接触センサ２２が設けられ、ユーザとの接触が検知された場合にのみ振動部２１が駆動される。そのため、ユーザは接触センサ２２と顔とを近づけて接触センサ２２に接触するだけで自動的に音波が発生されるので、簡便に眼疲労の回復を図ることができる。また、接触時にのみ振動部２１が駆動されるので、省電力でありながら、確実に眼疲労の回復を図ることができる。
【００３３】
なお、第２実施形態では、振動部２１が表示部６の上辺の一部に配置される例を示したが、表示部６の外装部のうち、ユーザの眼に対面する部分であればどこに配置されても良い。また、振動部２１は、どのような形状であっても良いし、複数個設けられても良い。
また、第２実施形態では、接触センサ２２が表示部６の下辺全体を覆うように配置される例を示したが、表示部６の外装部のうち、ユーザの眼に対面する部分であればどこに配置されても良い。また、接触センサ２２は、どのような形状であっても良いし、複数個設けられても良い。
【００３４】
《第３実施形態》
以下、図面を用いて本発明の第３実施形態について説明する。
図６は、本実施形態のヘッドマウントディスプレイ装置３０の外観を示す図である。ヘッドマウントディスプレイ装置３０は、図６に示すように、第１実施形態のヘッドマウントディスプレイ装置１の眼疲労検出部７が省略され、左音声出力部４近傍にタンク３１を新たに備え、アーム５内にパイプ３２を新たに備える（詳細は後述する）。
【００３５】
その他の構成については、第１実施形態と同様であるため説明を省略し、第１実施形態と同様の符号を用いて説明を行う。
表示部６は、図７Ａに示すように、第１実施形態と同様に、表示デバイス８と接眼レンズ９とを備える。表示デバイス８からの光束は、接眼レンズ９で拡大され、ユーザの眼に到達する。このようにして、表示部６はユーザの視野に画像を表示する。
【００３６】
さらに、表示部６は、噴出口３３を備える（詳細は後述する）。噴出口３３は、図７Ａに示すように、表示部６の外装部のうち、ユーザの眼に対面する部分に設けられる。図７Ｂは、表示部６を、ユーザの眼の方向から見た図である。図７Ｂに示すように、噴出口３３は、表示部６の下辺の一部に配置される。
また、ヘッドマウントディスプレイ装置３０は、図８の機能ブロック図に示すように、制御部１１、記憶部１２を備えるとともに、外部の再生装置などとのインタフェースを取る外部インタフェース部１３を備える。また、記憶部１２には、表示部６が表示する画像と右音声出力部３、左音声出力部４が出力する音声とが記憶されている。さらに、ヘッドマウントディスプレイ装置３０は、ユーザ操作を受け付ける不図示の操作部およびユーザの眼に対して気体を噴出する気体噴出部３４を備える。
【００３７】
気体噴出部３４は、図６で示したタンク３１、パイプ３２、図７で示した噴出口３３から構成される（詳細は後述する）。タンク３１は、内部に気体のもととなる物質（例えば、水蒸気のもととなる水）が予め投入されており、気体発生のためのヒーター、気体送出のためのポンプ（何れも不図示）を備える。
【００３８】
制御部１１の出力は、右音声出力部３、左音声出力部４、表示部６、気体噴出部３４に供給される。また、記憶部１２および外部インタフェース部１３は、制御部１１と相互に接続される。
なお、バンド２、右音声出力部３、左音声出力部４は、請求項の「装着部」に対応し、アーム５、表示部６、制御部１１は請求項の「表示部」に対応する。また、噴出口３３は、請求項の「噴出口」に対応し、タンク３１、パイプ３２、噴出口３３、制御部１１は、請求項の「気体噴出部」に対応する。なお、これら請求項に記載の各部はこの態様だけに限定されるものではない。
【００３９】
以上説明した構成のヘッドマウントディスプレイ装置３０において、制御部１１は、ユーザ操作に応じて、表示部６に対する画像の表示および右音声出力部３、左音声出力部４に対する音声の再生を行う。なお、画像の表示および音声の再生の具体的な方法については、公知技術と同様であるため、第１実施形態および第２実施形態と同様に、説明を省略する。以下では、本実施形態の特徴であるユーザの眼疲労回復のための動作について説明する。
【００４０】
制御部１１は、不図示の操作部を介して、ユーザにより気体噴出の指示を受けると、気体噴出部３４を制御して眼疲労回復のための動作を行う。
すなわち、気体噴出部３４は、不図示のヒータを用いて、タンク３１内に気体を発生させ、不図示のポンプを用いて、気体をパイプ３２に送出する。パイプ３２に送出された気体は、パイプ３２を通って、噴出口３３から噴出される。なお、噴出口３３は、噴出された気体がユーザの眼にあたるように構成されている。気体がユーザの眼にあてられると、眼の乾燥が解消され、眼疲労の回復が図られる。
【００４１】
気体の噴出は、ユーザにより停止の指示があるまで連続して行っても良いし、気体の噴出量を予め定めておいても良い。
以上説明したように、第３実施形態によれば、ユーザの眼に対して気体を噴出する気体噴出部３４を備え、気体の噴出口３３は、表示部６の外装部のうち、ユーザの眼に対面する部分に設けられる。そのため、ユーザの眼に気体をあてることにより、表示部６内の光学系（表示デバイス８、接眼レンズ９）などに振動の影響を及ぼすことなく、眼疲労の回復および視力の維持が可能である。
【００４２】
なお、第３実施形態では、噴出口３３が表示部６の下辺の一部に配置される例を示したが、ユーザの眼に対面する部分であればどこに配置されても良い。また、噴出口３３が複数個設けられても良い。
また、第３実施形態では、タンク３１が左音声出力部４の近傍に備えられる例を示したが、他の位置に備えられても良い。また、タンク３１をヘッドマウントディスプレイ装置３０の外部に設け、ホースなどを用いて噴出口３３と接続するようにしても良い。
【００４３】
また、第３実施形態では、タンク３１に水を投入し、水蒸気を発生させて噴出する例を示したが、他の気体を発生させるようにしても良い。たとえば芳香のある液体をタンク３１に投入して気体を発生させれば、アロマテラピー効果を得ることができる。このような場合、噴出口３３は、鼻に近い方が効果的であるので、表示部６の下辺近傍に設けるのが好ましい。
【００４４】
なお、第１実施形態では超音波を発生させ、第２実施形態では音波を発生させる例を示したが、さらに周波数の低い波動を発生させるようにしても良い。ただし、このような場合、図５Ａに示したように、ユーザの顔に接触させて使用するのが好ましい。
また、第１実施形態では、眼疲労検出部７により眼疲労検出を行い、検出結果に基づいて振動部１０を駆動する例を示したが、眼疲労検出部７に換えて、第２実施形態の接触センサ２２を設けるようにしても良い。また、眼疲労検出部７と接触センサ２２との両方を設けるようにしても良い。さらに、第３実施形態のように不図示の操作部を介して振動部１０の駆動の指示を受けるようにしても良い。
【００４５】
また、第２実施形態では、接触センサ２２による検知を行い、振動部２１を駆動する例を示したが、接触センサ２２に換えて、第１実施形態の眼疲労検出部７設けるようにしても良い。また、接触センサ２２と眼疲労検出部７との両方を設けるようにしても良い。さらに、第３実施形態のように不図示の操作部を介して振動部２１の駆動の指示を受けるようにしても良い。
【００４６】
また、第３実施形態では、不図示の操作部による指示に応じて、気体の噴出を行う例を示したが、第１実施形態の眼疲労検出部７を設け、眼疲労が検出された場合に気体の噴出を行うようにしても良い。
また、第１実施形態で説明した超音波の発生と第３実施形態で示した気体の噴出とを組み合わせても良い。また、第２実施形態で説明した音波の発生と第３実施形態で示した気体の噴出とを組み合わせても良い。
【００４７】
また、第１実施形態から第３実施形態では、図１に示すような形態のヘッドマウントディスプレイ装置を用いて説明を行ったが、ユーザの頭部に係止可能であれば、ヘルメット型やメガネ型であっても良い。
また、第１実施形態から第３実施形態では、図１に示すように、左側にのみ表示部（表示部６）を備える例を示したが、右側に表示部を備えるようにしても良いし、左右両側に表示部を備えるようにしても良い。
【００４８】
【発明の効果】
以上説明したように、本発明によれば、表示部内の光学系などに振動の影響を及ぼすことなく、眼疲労の回復および視力の維持が可能なヘッドマウントディスプレイ装置を提供することができる。
【図面の簡単な説明】
【図１】第１実施形態のヘッドマウントディスプレイ装置の外観を示す図である。
【図２】第１実施形態のヘッドマウントディスプレイ装置の表示部の構成を示す図である。
【図３】第１実施形態のヘッドマウントディスプレイ装置の機能ブロック図である。
【図４】第２実施形態のヘッドマウントディスプレイ装置の機能ブロック図である。
【図５】第２実施形態のヘッドマウントディスプレイ装置の表示部の構成を示す図である。
【図６】第３実施形態のヘッドマウントディスプレイ装置の外観を示す図である。
【図７】第３実施形態のヘッドマウントディスプレイ装置の表示部の構成を示す図である。
【図８】第３実施形態のヘッドマウントディスプレイ装置の機能ブロック図である。
【符号の説明】
１，２０，３０  ヘッドマウントディスプレイ装置
２  バンド
３  右音声出力部
４  左音声出力部
５  アーム
６  表示部
７  眼疲労検出部
８  表示デバイス
９  接眼レンズ
１０，２１  振動部
１１  制御部
１２  記憶部
１３  外部インタフェース部
１４，２３  振動体
１５，２４  振動体駆動部
２２  接触センサ
３１  タンク
３２  パイプ
３３  噴出口
３４  気体噴出部
【図１】
2004304270.tif 000003
【図２】
2004304270.tif 000004
【図３】
2004304270.tif 000005
【図４】
2004304270.tif 000006
【図５】
2004304270.tif 000007
【図６】
2004304270.tif 000008
【図７】
2004304270.tif 000009
【図８】
2004304270.tif 000010